(57)【特許請求の範囲】
【請求項１】
携帯電子機器に搭載されたタッチパネルに取り付けられるタッチパネル用の操作補助具であって、導電性を有し且つ使用者によって押し操作される表面及び該表面の反対側で前記タッチパネルに対向する裏面を有する板状の操作部と、弾性を有し且つ該操作部を前記タッチパネルに取付可能な着脱部とを備え、前記操作部には、前記裏面で開口する取付凹部が形成され、前記着脱部は、前記取付凹部内に挿し込まれて前記操作部に固定される被固定部と、該被固定部に連設され且つタッチパネルに吸着可能に構成される吸盤部とを有し、吸盤部の中央部が前記取付凹部内に収容され、
前記操作部は、前記吸盤部と対応する位置で、前記裏面における前記取付凹部の開口周りに設けられ且つ前記吸盤部を押圧可能となるように構成される押圧部と、
前記タッチパネルに接触させるための入力部であって、前記裏面の外周縁部に形成される導通接触面によって構成される入力部と、を有し、
前記裏面には、前記押圧部と前記導通接触面との間で且つ前記吸盤部の外周部と対応する位置に凹状の逃溝が形成されているタッチパネル用の操作補助具。
【請求項２】
前記取付凹部は、底側から前記開口に向かうにつれて孔径が徐々に大きくなる逃孔を含み、前記吸盤部の中央部が該逃孔内に配置される請求項１に記載のタッチパネル用の操作補助具。
【請求項３】
前記導通接触面は、前記裏面の外方側であるほど前記表面側に向かうように傾斜するように構成されている、請求項１又は２に記載のタッチパネル用の操作補助具。
【発明の詳細な説明】
【技術分野】
【０００１】
本発明は、タッチパネルによる携帯電子機器の操作を補助するタッチパネル用の操作補助具に関する。
【背景技術】
【０００２】
近年、スマートフォンやタブレット等のタッチパネルを搭載した携帯電子機器が普及しており、かかる携帯電子機器がゲーム用のハードウェアとして用いられることがある。
【０００３】
また、携帯電子機器でゲームを行う場合、平坦なタッチパネルに表示される仮想の入力ボタンを素早く正確なタイミングで操作することが求められるため、携帯電子機器への入力操作を補助するための操作補助具がタッチパネルに取り付けられることがある。このような操作補助具として、例えば、特許文献１の従来技術として図８や、図９に示されたものが公知である。
【０００４】
かかる操作補助具は、導電性を有する操作部と、該操作部をタッチパネルに取り付けるための着脱部とを備えている。
【０００５】
着脱部は、弾性を有し且つタッチパネルに吸着させるように構成された吸盤部と、該吸盤部に操作部を取り付ける取付部とを有する。
【０００６】
前記操作補助具では、吸盤部をタッチパネルに吸着させると、操作部が取付部と吸盤部とによってタッチパネルから離れた位置に支持される。
【０００７】
そして、使用者によって操作部の外周部がタッチパネルに向けて押し操作されると、吸盤部に対して取付部が変形するに伴って操作部が傾いてタッチパネルに接触し、これにより、携帯電子機器への入力操作が行われる。
【０００８】
そして、使用者が操作部から指を離すと、吸盤部に対する取付部の形状が復帰することで操作部がタッチパネルから離間し、これにより、携帯電子機器への入力操作を再び行うことができる状態となる。
【先行技術文献】
【特許文献】
【０００９】
【特許文献１】実用新案登録第３１９５７５２号
【発明の概要】
【発明が解決しようとする課題】
【００１０】
しかしながら、上記従来の操作補助具では、操作部が取付部を介してタッチパネル上に配置された状態になるため、該操作部とタッチパネルとの間隔が大きくなる傾向にある。そのため、前記操作補助具では、操作部を大きく傾けてタッチパネルに接触させることが必要となることから、携帯電子機器への入力操作が行い難くなることがあった。
【００１１】
そこで、本発明は、斯かる実情に鑑み、携帯電子機器に入力操作し易いタッチパネル用の操作補助具を提供することを課題とする。
【課題を解決するための手段】
【００１２】
本発明のタッチパネル用の操作補助具は、携帯電子機器に搭載されたタッチパネルに取り付けられるタッチパネル用の操作補助具であって、導電性を有し且つ表面及び該表面の反対側で前記タッチパネルに対向する裏面を有する操作部と、弾性を有し且つ該操作部を前記タッチパネルに取付可能な着脱部とを備え、前記操作部には、前記裏面で開口する取付凹部が形成され、前記着脱部は、前記取付凹部内に挿し込まれて前記操作部に固定される被固定部と、該被固定部に連設され且つタッチパネルに吸着可能に構成される吸盤部とを有し、吸盤部の中央部が前記取付凹部内に収容されている。
【００１３】
かかる構成によれば、被固定部と吸盤部の中央部とが取付凹部内に収容されているため、吸盤部をタッチパネルに吸着させた状態での操作部とタッチパネルとの間隔を小さくすることができる。従って、前記タッチパネル用の操作補助具では、操作部を大きく傾けることなくタッチパネルに接触させることができる。
【００１４】
本発明のタッチパネル用の操作補助具において、前記取付凹部は、底側から前記開口に向かうにつれて孔径が徐々に大きくなる逃孔を含み、前記吸盤部の中央部が該逃孔内に配置されていてもよい。
【００１５】
上記構成のタッチパネル用の操作補助具は、吸盤部の中央部が逃孔内に配置されているため、タッチパネルに取り付けるべく操作部をタッチパネルに押し付けた際に、吸盤部の中央部をタッチパネルに対して非接触にしておくことができる。
【００１６】
そのため、吸盤部は、中央部がタッチパネルから離れ且つ外周部がタッチパネルに密着した状態でタッチパネルに吸着する。これにより、前記タッチパネル用の操作補助具では、タッチパネルに取り付けられた状態における操作部の動き代を確保し易くすることができる。
【００１７】
本発明のタッチパネル用の操作補助具において、前記操作部は、前記吸盤部と対応する位置で、前記裏面における前記取付凹部の開口周りに設けられ且つ吸盤部を押圧可能となるように構成される押圧部を有するように構成されていてもよい。
【００１８】
上記構成のタッチパネル用の操作補助具では、タッチパネルに取り付けるべく操作部をタッチパネルに押し付けた際に、吸盤部が押圧部によってタッチパネルに向けて押圧される。従って、前記タッチパネル用の操作補助具は、吸盤部をタッチパネルに対して確実に吸着させることができる。
【００１９】
本発明のタッチパネル用の操作補助具において、前記操作部は、タッチパネルに接触させるための入力部を有し、該入力部は、前記裏面の外周縁部に形成される導通接触面であって、前記裏面の外方側であるほど前記表面側に向かうように傾斜する導通接触面を有するようにしてもよい。
【００２０】
このようにすれば、操作部を傾けたときに導通接触面がタッチパネルに対して面接触するため、入力部とタッチパネルとの接触面積が広がり易くなる。そのため、上記構成のタッチパネル用の操作補助具は、タッチパネルに対する感度を向上させることができる。
【００２１】
本発明のタッチパネル用の操作補助具において、前記裏面には、前記押圧部と前記導通接触面との間で且つ前記吸盤部の外周部と対応する位置に凹状の逃溝が形成されていてもよい。
【００２２】
このようにすれば、導通接触面がタッチパネルに接触するまで操作部を傾けたときに、逃溝によって操作部と吸盤部との干渉を防ぐことができる。
【発明の効果】
【００２３】
以上のように、本発明のタッチパネル用の操作補助具によれば、携帯電子機器への入力操作を行い易くすることができるという優れた効果を奏し得る。
【図面の簡単な説明】
【００２４】
【図１】図１は、本発明の一実施形態に係るタッチパネル用の操作補助具としての操作キーの側面図である。
【図２】図２は、同実施形態に係る操作キーの平面図である。
【図３】図３は、同実施形態に係る操作キーの底面図である。
【図４】図４は、同実施形態に係る操作キーの断面図であって、図２のＩＶ−ＩＶ線における断面図である。
【図５】図５は、本発明の一実施形態に係るタッチパネル用の操作補助具としての押ボタンの側面図である。
【図６】図６は、同実施形態に係る押ボタンの縦断面図である。
【図７】図７は、同実施形態に係る操作キーと押ボタンとをタッチパネルに取り付けた状態の説明図である。
【図８】図８は、同実施形態に係る操作キーをタッチパネルに取り付けた状態の説明図である。
【図９】図９は、同実施形態に係る操作キーによって携帯電子端末への入力操作を行っている状態の説明図である。
【図１０】図１０は、同実施形態に係る押ボタンによって携帯電子端末への入力操作を行っている状態の説明図である。
【図１１】図１１は、本発明の他実施形態に係る押ボタンの説明図である。
【発明を実施するための形態】
【００２５】
以下、本発明の一実施形態に係るタッチパネル用の操作補助具（以下、操作補助具という）について、添付図面を参照しつつ説明する。
【００２６】
本実施形態に係る操作補助具は、図７に示すように、スマートフォンやタブレット等の携帯電子機器ＴＭに搭載されたタッチパネルＴＰに取り付けて使用するものであり、タッチパネルＴＰによる携帯電子機器ＴＭへの入力操作を補助できるように構成されている。
【００２７】
なお、本実施形態では、操作補助具１として、タッチパネルＴＰへの取付位置の周囲全域に対して入力操作可能な操作キー２と、タッチパネルＴＰへの取付位置に対応する場所のみで入力操作可能な押ボタン６とについて説明を行う。
【００２８】
操作キー２は、図１、及び図４に示すように、導電性を有する操作部３と、弾性を有し且つ操作部３をタッチパネルＴＰに対して取付可能な着脱部４とを備えている。
【００２９】
操作部３は、タッチパネルＴＰに取り付けられた状態で該タッチパネルＴＰに対向する裏面と、該裏面とは反対側に位置し且つ使用者によって押し操作される表面とを有する。
【００３０】
操作部３は、図４に示すように、前記表面側に形成され且つ使用者が押し操作するように構成される押操作部３０と、前記裏面側に形成され且つタッチパネルＴＰに接触させるための導通接触部３１と、前記裏面で開口する取付凹部３２０が形成される取付部３２とを有する。
【００３１】
押操作部３０は、図２に示すように、中央部に位置する基点部３００と、該基点部３  ００周りに形成された方向表示部３０１とを有する。
【００３２】
本実施形態では、基点部３００の周りに対して複数の方向表示部３０１が互いの間に間隔をあけて配置されている。より具体的に説明すると、基点部３００の周りには、４つの方向表示部３０１が９０度間隔で形成されている。
【００３３】
本実施形態に係る操作部３０では、方向表示部３０１のそれぞれの間に凹状の段下部３０２が形成されている（図１参照）。そのため、方向表示部３０１及び基点部３００は、段下部３０２の底面に対して突出した形状となっている。なお、本実施形態では、基点部３００の外面と、方向表示部３０１の外面と、段下部３０２の外面とによって、操作部３の前記表面が構成されている。
【００３４】
導通接触部３１は、図３に示すように、操作部３の外周縁部全周に亘って連続するように形成されている。また、導通接触部３１は、図４に示すように、操作部３の外周部になるにつれて操作部３の表面側に向かうように傾斜する導通接触面３１０によって構成されている。すなわち、導通接触面３１０は、タッチパネルＴＰへの入力操作が行われていない状態において、外周部から内周側になるにつれてタッチパネルＴＰとの間隔が狭くなるように構成されている。
【００３５】
取付部３２は、取付凹部３２０を画定する内周面３２１と、前記裏面における取付凹部３２０の開口周りに形成される押圧部３２２とを有する。
【００３６】
内周面３２１は、内径が一定である底側周面部３２１ａと、該底側周面部３２１ａから操作部３の裏面に対応する位置まで延出しつつ内径が広がるように形成された開口側周面部３２１ｂとを有する。
【００３７】
そのため、本実施形態の取付凹部３２０には、孔径が一定であり且つ前記表面に対しては非貫通の取付孔（底側周面部３２１ａによって画定される孔）と、該取付孔に連通し且つ前記裏面で開口する逃孔（開口側周面部３２１ｂによって画定される孔）とが含まれており、該逃孔は、取付孔側から前記裏面側になるにつれて孔径が徐々に大きくなるように形成されている。
【００３８】
さらに、本実施形態に係る操作部３には、前記裏面側において導通接触部３１と取付部３２との間に凹状の逃溝３３が形成されている。逃溝３３は、押圧部３２２を取り囲むように形成された環状の溝である。そのため、押圧部３２２と、導通接触面３１０の内周端部とは、逃溝３３の底面に対して突出した形状となっている。
【００３９】
なお、本実施形態では、前記裏面が、導通接触面３１０と、操作部３における前記逃溝３３を画定する凹面と、押圧部３２２の先端面とによって構成されている。
【００４０】
着脱部４は、前記取付凹部３２０内に挿し込まれて前記操作部３に固定される被固定部４０と、該被固定部４０に連設され且つタッチパネルＴＰに吸着可能に構成される吸盤部４１とを有する。本実施形態に係る着脱部４は、被固定部４０と吸盤部４１とが一体的に形成されており、それぞれ弾性を有している。
【００４１】
被固定部４０は、中空の軸状である。より具体的に説明すると、被固定部４０は、筒状の挿込筒部４００と、該挿込筒部４００の一方の開口を閉塞する閉塞部４０１とを有する。また、被固定部４０は、取付凹部３２０内に挿し込まれた状態で、挿込筒部４００の外周面全体が底側周面部３２１ａと対向し、閉塞部４０１が取付凹部３２０の底に突き当てられた状態で接着されている。
【００４２】
吸盤部４１の中央部は、被固定部４０の軸線方向における一端部に連設されている。なお、吸盤部４１の外面４１０及び内面４１１は、被固定部４０の軸線方向に対して傾斜するように形成されている。
【００４３】
また、吸盤部４１の中央部は、取付凹部３２０内に収容されており、吸盤部４１の外面４１０（吸盤部４１の外面４１０の上端側）が開口側周面部３２１ｂに対向している。すなわち、開口側周面部３２１ｂは、吸盤部４１の中央部の外面４１０に対応して傾斜する面となっている。
【００４４】
また、吸盤部４１の外周部は、逃溝３３と、該逃溝３３の内側に位置する押圧部３２２とに対応するように配置されている。
【００４５】
押ボタン６は、図５、及び図６に示すように、導電性を有し且つ使用者が押し操作するためのボタン本体７と、導電性を有し且つ該ボタン本体７に接着された状態でタッチパネルＴＰに向けて配置される通電部８と（図６参照）、ボタン本体７と通電部８とをタッチパネルＴＰに取り付けるための着脱支持部９とを備えている。
【００４６】
ボタン本体７は、図６に示すように、使用者が触れる露出部７０と、該露出部７０に連続する導電接続部７１とを有する。
【００４７】
露出部７０は、平面視において円形状をなしている。また、露出部７０では、厚み方向における一端が使用者に押し操作されるように構成されている。
【００４８】
導電接続部７１は、露出部７０の他端から延出しており、露出部７０よりも外径が小さい円柱状に形成されている。
【００４９】
さらに、本実施形態に係るボタン本体７には、露出部７０と導電接続部７１とに亘って貫通する通気孔７２が形成されている。
【００５０】
通電部８は、導電接続部７１に外嵌している筒状の接着部８０と、該接着部８０に連続し且つ導電接続部７１の先端を覆うカバー部８１とを備えている。
【００５１】
接着部８０は、軸線方向における一端を露出部７０に突き当てた状態となるようにして導電接続部７１に外嵌している。また、接着部８０は、軸線方向における寸法が導電接続部７１の露出部７０からの延出量よりも大きくなるように設定されている。そのため、接着部８０は、導電接続部７１の外周全周を取り囲むとともに、軸線方向における他端側が導電接続部７１の先端よりも下方に突出した状態となっている。
【００５２】
カバー部８１は、弾性を有する。また、カバー部８１は、接着部８０の他端の全周に亘って接続されている。さらに、カバー部８１は、外面が中央部であるほど導電接続部７１の先端から離れるように膨らむ曲面となるように形成されており且つ導電接続部７１の先端との間に空間が形成されるように構成されている。従って、押ボタン６では、導電接続部７１とカバー部８１との間が中空となっている。
【００５３】
本実施形態に係るカバー部８１は、接着部８０の開口を閉塞するカバー本体部８１０と、該カバー本体部８１０の外周全周から外方に突出する拡張部８１１とを有する。
【００５４】
カバー本体部８１０は、接着部８０の他端の全周に亘って連続している。また、カバー本体部８１０は、接着部８０の他端に対応する位置から接着部８０の中心（穴中心）側に向かうにつれて導電接続部７１の先端から離れるように全体が湾曲している。
【００５５】
拡張部８１１は、カバー本体部８１０の外周に連続しており、接着部８０の外面よりも外側に延出している。また、拡張部８１１の外面と、カバー本体部８１０の外面とは、滑らかに連続することによって一つの湾曲した面を構成している。
【００５６】
着脱支持部９は、接着部８０の外周全周に亘って接続される環状接続部９０と、該環状接続部９０に連続し且つカバー部８１（カバー本体部８１０）の周囲を取り囲む易変形部９１と、易変形部９１の外周全周から外方に向けて広がるように構成される密着部９２であってタッチパネルＴＰに密着させる密着部９２とを有する。なお、環状接続部９０と、易変形部９１と、密着部９２とは、一体的に形成されており、それぞれが弾性を有するように構成されている。
【００５７】
環状接続部９０では、上端が露出部７０の他端に接続され、下端が拡張部８１１に接続されている。
【００５８】
また、環状接続部９０の上端の外径は、露出部７０の他端の外径と同一又は略同一となるように設定されており、環状接続部９０の下端の外径は、拡張部８１１の外径よりも大きくなるように設定されている。
【００５９】
易変形部９１は、環状に形成されており、環状接続部９０の下端全周から延出している。また、易変形部９１は、基端側から先端側になるにつれて外径及び内径が徐々に大きくなるように形成されている。
【００６０】
易変形部９１の基端は、カバー部８１の拡張部８１１との間に隙間が形成されるようにして環状接続部９０の下端に接続されている。
【００６１】
密着部９２は、円環状に形成され、易変形部９１の先端全周から外方に広がるように構成されている。また、密着部９２は、シート状に形成されており、一面（以下、密着面という）全体がタッチパネルＴＰに対して密着するように構成されている。
【００６２】
また、密着部９２の密着面には、内周端と外周端とに亘って真っ直ぐに延びる通気溝９２０が形成されている。そのため、着脱支持部９は、密着部９２の密着面をタッチパネルＴＰに密着させると、通気溝９２０が易変形部９１とタッチパネルＴＰとの間の空間を易変形部９１の外部の空間に連通させるように構成されている。なお、本実施形態では、密着部９２の密着面に一対の通気溝９２０が形成されている。
【００６３】
本実施形態に係る操作キー２、及び押ボタン６は、以上の構成である。続いて、操作キー２、及び押ボタン６を用いたタッチパネルＴＰから携帯電子機器ＴＭへの入力操作について、添付図面を参照しつつ説明を行う。
【００６４】
操作キー２、及び押ボタン６を用いてタッチパネルＴＰから携帯電子機器ＴＭへの入力操作を行えるようにすべく、図７に示すように、該操作キー２、及び押ボタン６をタッチパネルＴＰの所望の位置に取り付ける。
【００６５】
操作キー２をタッチパネルＴＰに取り付けるには、吸盤部４１の外周部をタッチパネルＴＰに当接させた後に、操作部３をタッチパネルＴＰに向けて押し込む。このようにすると、吸盤部４１は、操作部３とタッチパネルＴＰとに圧縮されることで内部の空気が抜けるため、タッチパネルＴＰに吸着する。
【００６６】
また、操作部３をタッチパネルＴＰに向けて押し付けた際、吸盤部４１は、押圧部３２２によってタッチパネルＴＰに押し付けられる。そのため、吸盤部４１の外周部は、タッチパネルＴＰに密着する。その一方で、吸盤部４１の中央部は、取付凹部３２０の逃孔内に配置されているため、タッチパネルＴＰに対して非接触である。
【００６７】
このように、吸盤部４１は、外周部をタッチパネルＴＰに密接させる一方で中央部をタッチパネルＴＰから離した状態（浮かせた状態）で携帯電子機器ＴＭのタッチパネルＴＰに吸着させることができ、これにより、タッチパネルＴＰに取り付けられた状態における操作部３の動き代が確保される。
【００６８】
押ボタン６をタッチパネルＴＰに取り付けるには、密着部９２の密着面全体をタッチパネルＴＰに密着させる。
【００６９】
操作キー２による入力操作を行う場合、使用者は、押操作部３０の外周部をタッチパネルＴＰに向けて押し操作する。これに伴い、図９に示すように、被固定部４０が吸盤部４１に対して変形して操作部３全体が傾く。
【００７０】
操作部３が傾くと、吸盤部４１の外周部が押圧部３２２によってタッチパネルＴＰに向けて押さえ付けられる。吸盤部４１の中央部は、逃溝３３に対応する位置に配置されているため、操作部３の前記裏面とは非接触となっている。
【００７１】
そして、入力部３１の導通接触面３１０がタッチパネルＴＰに面接触する。これにより、操作キー２によって携帯電子機器ＴＭへの入力操作が行われる。
【００７２】
そして、使用者が操作部３から指を離せば、吸盤部４１に対する被固定部４０の形状が復帰して導通接触部３１がタッチパネルＴＰから離れる。
【００７３】
押ボタン６による入力操作を行う場合、使用者は、ボタン本体７をタッチパネルＴＰに向けて押し操作する。これに伴い、図１０に示すように、ボタン本体７が易変形部９１を変形させながらタッチパネルＴＰに接近するため、カバー部８１がボタン本体７とタッチパネルＴＰとに挟み込まれて圧縮される。これにより、カバー部８１が変形し、該カバー部８１の外面がタッチパネルＴＰに対して面接触した状態となり、押ボタン６によって携帯電子機器ＴＭへの入力操作が行われる。
【００７４】
易変形部９１が変形する際、易変形部９１とタッチパネルＴＰとの間の空気は、通気溝９２０を通じて易変形部９１の外部の空間に排出される。また、カバー部８１が圧縮される際、カバー部８１と導電接続部７１との間の空気は、通気孔７２と使用者の指の間の隙から外部に排出される。
【００７５】
そして、使用者がボタン本体７から指を離すと、易変形部９１の形状が復帰するに伴って、通電部８がタッチパネルＴＰから離間する方向に持ち上げられる。これにより、通電部８は、タッチパネルＴＰから離れつつ形状が復帰する。
【００７６】
易変形部９１の形状が復帰する際、易変形部９１とタッチパネルＴＰとの間には、通気溝９２０を通じて易変形部９１の外部の空間から空気が流入する。また、通電部８の形状が復帰する際、カバー部８１と導電接続部７１との間には、通気孔７２を通じて外部から空気が流入する。
【００７７】
以上のように、本実施形態の操作キー２は、取付部３２と吸盤部４１の中央部とが取付凹部３２０内に収容されているため、吸盤部４１をタッチパネルＴＰに吸着させた状態における操作部３とタッチパネルＴＰとの間隔を小さくすることができる。従って、操作キー２では、タッチパネルＴＰに接触させるための操作部３の傾きが抑えられるため、操作部３を大きく傾けることなく、タッチパネルＴＰによる携帯電子機器ＴＭへの入力操作を行うことができる。よって、本実施形態の操作キー２は、携帯電子機器ＴＭへの入力操作を行い易くすることができるという優れた効果を奏し得る。
【００７８】
また、操作キー２では、取付孔側から前記裏面側になるにつれて孔径が徐々に大きくなる逃孔内に吸盤部４１の中央部が配置されているため、該吸盤部４１の中央部をタッチパネルＴＰに対して非接触にして、該吸盤部４１の外周部のみをタッチパネルＴＰに対して密接させることができる。
【００７９】
従って、操作キー２では、タッチパネルＴＰに吸着させた吸盤部４１の中央部を該タッチパネルＴＰから離しておくことができるため、タッチパネルＴＰに取り付けられた操作部３の動き代を確保できる。
【００８０】
さらに、操作キー２では、吸盤部４１と対応する位置で、前記裏面における取付凹部３２０の開口周りに設けられ且つ該吸盤部４１を押圧可能となるように構成される押圧部３２２を有するため、タッチパネルＴＰへの取り付け時において、操作部３をタッチパネルＴＰに押し付けた際に、押圧部３２２によって吸盤部４１がタッチパネルＴＰに向けて押圧されるため、吸盤部４１をタッチパネルＴＰに対して確実に吸着させることができる。
【００８１】
また、操作部３を傾けて導通接触面３１０をタッチパネルＴＰに接触させている状態においては、押圧部３２２によって吸盤部４１をタッチパネルＴＰに向けて押圧することができるため、操作部３を押し操作した際に吸盤部４１がタッチパネルＴＰから外れ難くなる。
【００８２】
さらに、本実施形態に係る操作キー２では、上述のように、タッチパネルＴＰに接触させた操作部３の傾きが抑えられるため、吸盤部４１の変形を抑えることによっても吸盤部４１がタッチパネルＴＰから外れ難くなっている。
【００８３】
本実施形態に係る操作部３では、タッチパネルＴＰに接触させるための導通接触部３１が傾斜しているため、操作部３を傾けたときに入力部３１をタッチパネルＴＰに対して面接触させることができる。そのため、操作キー２は、操作部３とタッチパネルＴＰとの接触面積を広げることができ、これにより、タッチパネルＴＰに対する感度を向上させることができる。
【００８４】
また、押圧部３２２と入力部３１との間には、押圧部３２２を取り囲む環状の溝である逃溝３３が形成されているため、操作部３を傾けたときに吸盤部４１の外周部が逃溝３３内に退避する。従って、操作キー２は、操作部３と吸盤部４１との干渉（操作部３が吸盤部４１ごしにタッチパネルＴＰに押さえ付けられること）が防止されるため、入力部３１をタッチパネルＴＰに対して確実に接触させることができる。
【００８５】
本実施形態の押ボタン６は、カバー部８１をボタン本体７とタッチパネルＴＰとで圧縮して変形させるように構成されているため、カバー部８１がタッチパネルＴＰに対して面接触する。従って、押ボタン６は、カバー部８１とタッチパネルＴＰとの接触面積が広がるようにすることで、携帯電子機器ＴＭへの入力操作の感度を高めている。
【００８６】
また、押ボタン６では、導電接続部７１とカバー部８１との間が中空となっているため、該カバー部８１が変形し易くなっている。従って、押ボタン６では、カバー部８１とタッチパネルＴＰとの接触面積が広がり易くなっている。
【００８７】
さらに、本実施形態に係るカバー部８１は、カバー本体部８１０の外周に拡張部８１１を形成することによって、カバー部８１とタッチパネルＴＰとの接触面積を広くできるようにしている。また、本実施形態に係る押ボタン６は、カバー部８１とタッチパネルＴＰとの接触面積が広がり易くなっているため、ボタン本体７がタッチパネルＴＰに対して傾斜角度から押し込まれたとしても、カバー部８１とタッチパネルＴＰとを確実に接触させることができる。
【００８８】
そして、タッチパネルＴＰに接触するカバー部８１には、筒状の接着部８０が一体的に形成されており、該接着部８０を導電接続部７１に外嵌させているため、ボタン本体７と通電部８との通電性を高めることで携帯電子機器ＴＭへの入力操作の感度を高めることができる。
【００８９】
なお、本発明の操作補助具は、上記一実施形態に限定されるものではなく、本発明の要旨を逸脱しない範囲において種々変更を行うことは勿論である。
【００９０】
上記実施形態において、操作部３や、吸盤部４１は、平面視において円形状となっていたが、例えば、平面視において多角形状となっていてもよい。
【００９１】
上記実施形態において、内周面３２１では、内径が一定である底側周面部３２１ａとなっていたが、この構成に限定されない。例えば、底側周面部３２１ａは、底側周面部３２１ａとともに傾斜するように構成されていてもよい。
【００９２】
上記実施形態において、逃孔は、取付孔側から前記裏面側になるにつれて孔径が徐々に大きくなるように形成されていたが、この構成に限定されない。例えば、逃孔は、開口側周面部３２１ｂと吸盤部４１の中央部とが接触しないようにして該吸盤部４１の中央部を収容することができれば、内径が一定となるように形成されていてもよい。すなわち、逃孔は、取付孔よりも内径を大きくすることによって、開口側周面部３２１ｂと吸盤部４１の中央部とが接触しないように構成されていればよい。
【００９３】
上記実施形態では、被固定部４０は、中空の軸状であったが、例えば、中実の軸状であってもよい。なお、被固定部４０が中空の軸状であれば、被固定部４０自体が変形し易くなるため、操作部３を傾け易くなるとともに、操作部３を傾けたときに、吸盤部４１がタッチパネルＴＰから剥がれ難くなり、被固定部４０が中実の軸状であれば、操作部３への押し操作を解除したときに、操作部３が素早くタッチパネルＴＰから離れるようになる。
【００９４】
上記実施形態において、押ボタン６では、導電接続部７１とカバー部８１との間が中空となっていたが、この構成に限定されない。例えば、カバー部８１が導電接続部７１とタッチパネルＴＰとに圧縮された状態において、該カバー部８１が変形してタッチパネルＴＰに面接触するようになっていれば、導電接続部７１とカバー部８１との間が中実であってもよい。なお、導電接続部７１とカバー部８１との間が中空であれば、押し操作し易くすることができ、導電接続部７１とカバー部８１との間が中実であれば、ボタン本体７に対する押し操作を解除したときに、カバー部８１の形状が素早く復帰するようになる。
【００９５】
上記実施形態において、押ボタン６は、単一の着脱支持部９に対して、ボタン本体７と、通電部８とが一つずつ設けられていたが、この構成に限定されない。例えば、押ボタン６は、図１１に示すように、単一の着脱支持部９に対して、複数のボタン本体７と、該ボタン本体７に対応する数の通電部８とが設けられていてもよい。なお、図１１には、単一の着脱支持部９に対して、四つのボタン本体７が設けられている押ボタン６を図示しているが、ボタン本体７の数は、複数であれば特に限定されない。
【符号の説明】
【００９６】
１…操作補助具、２…操作キー、３…操作部、４…着脱部、６…押ボタン、７…ボタン本体、８…通電部、９…着脱支持部、３０…押操作部、３１…入力部、３２…取付部、３３…逃溝、４０…被固定部、４１…吸盤部、７０…露出部、７１…導電接続部、７２…通気孔、８０…接着部、８１…カバー部、９０…環状接続部、９１…易変形部、９２…密着部、３００…基点部、３０１…方向表示部、３０２…段下部、３１０…導通接触面、３２０…取付凹部、３２１…内周面、３２１ａ…底側周面部、３２１ｂ…開口側周面部、３２２…押圧部、４００…挿込筒部、４０１…閉塞部、４１０…外面、４１１…内面、８１０…カバー本体部、８１１…拡張部、９２０…通気溝、ＴＭ…携帯電子機器、ＴＰ…タッチパネル
【図１】
0006718745.tif 000002
【図２】
0006718745.tif 000003
【図３】
0006718745.tif 000004
【図４】
0006718745.tif 000005
【図５】
0006718745.tif 000006
【図６】
0006718745.tif 000007
【図７】
0006718745.tif 000008
【図８】
0006718745.tif 000009
【図９】
0006718745.tif 000010
【図１０】
0006718745.tif 000011
【図１１】
0006718745.tif 000012